(57)【要約】【課題】紙葉類の搬送距離が異なっても装置の製造に支障がなく、しかも廉価に製造可能な搬送装置を提供する。【解決手段】玉貸機Ａの背面に列設された主搬送ユニット１０と、その列端に設置されたＵターン用ユニット３０と、玉貸機Ａに臨んで前記各ユニットに添設された副搬送ユニット５０と、副搬送ユニット５０が添設されていない部位の主搬送ユニット１０、Ｕターン用ユニット３０に添設されたガイドユニット７０とを備えて構成された紙幣搬送装置であり、主搬送ユニット１０などの搬送ベルトは水平面内で回転可能に張設され、副搬送ユニット５０は紙幣Ｂを挟持して取込み、主搬送ユニット１０側に送出する一対の搬送ローラと、主搬送ユニット１０などの搬送ベルトに接して回転時の搬送ベルトから得た駆動力により一対の搬送ローラを回転させる駆動ローラとを備え、ガイドユニット７０は主搬送ユニット１０などの搬送ベルトに押圧されるピンチローラとカバー部材とを備えて搬送ベルトとの間に紙幣Ｂの搬送路を形成するようにした。【選択図】  図１
2005343682.tif 000002
【特許請求の範囲】
【請求項１】
無端の搬送ベルトを備え、搬送ベルトの張設方向に列設された複数の主搬送ユニットと、主搬送ユニットの列設方向の任意の部位に添設された複数の副搬送ユニットと、副搬送ユニットが添設されていない部位の主搬送ユニットの搬送ベルトの外周面に臨んで添設された複数のガイドユニットとを備えて構成される紙葉類搬送装置において、主搬送ユニットの無端の搬送ベルトは水平面内で回転可能に駆動プーリと従動プーリとに張設され、副搬送ユニットは紙葉類を挟持して取込み、主搬送ユニット側に送出する一対の搬送ローラと、主搬送ユニットの搬送ベルトに接して回転時の搬送ベルトから得た駆動力により一対の搬送ローラを回転させる駆動ローラとを備え、ガイドユニットは主搬送ユニットの搬送ベルト外周面に押圧されるピンチローラとカバー部材とを備えて搬送ベルト外周面との間に紙葉類の搬送路を形成したことを特徴とする紙葉類搬送装置。
【請求項２】
副搬送ユニットの駆動ローラは主搬送ユニットの搬送ベルト張設方向に複数個が列設されたことを特徴とする請求項１記載の紙葉類搬送装置。
【請求項３】
水平面内で回転可能に駆動プーリと従動プーリとに張設された無端の第１の搬送ベルトと、へ込み部に第１の搬送ベルトの一方のプーリに張設されている部分が密接状態に嵌め込まれている平面形状が略凹字状に張設された無端の第２の搬送ベルトとを備えたＵターン用ユニットが、主搬送ユニットが列設された一方の列設端部に第１の搬送ベルト側を主搬送ユニット側に向けて列設され、他方の列設端部に紙葉類を収納する収納庫が設置されたことを特徴とする請求項１または２記載の紙葉類搬送装置。
【請求項４】
副搬送ユニットの搬送ローラ、駆動ローラの少なくとも何れか一方は、所定の負荷を超える負荷が掛かったときに空転可能に設けられたことを特徴とする請求項１〜３何れかに記載の紙葉類搬送装置。
【請求項５】
主搬送ユニットの搬送ベルト外周面とガイドユニットとの間に形成された搬送路を通過する紙葉類を検出する複数個の通過検出手段と、通過検出手段が出力する信号に基づいて所要の主搬送ユニットの駆動プーリを駆動させる制御手段が設けられたことを特徴とする請求項１〜４何れかに記載の紙葉類搬送装置。
【発明の詳細な説明】
【技術分野】
【０００１】
本発明は、例えば横並びに配設されたパチンコ台などの遊技台の背面に設置し、遊技台に添設した玉貸機などに投入され、その背面側に送出される紙幣を受け取って島端の金庫まで搬送する紙幣搬送装置などとして用いる紙葉類搬送装置に係わるものである。
【背景技術】
【０００２】
この種の装置としては、例えば図９に示したように駆動輪２と遊動輪３との間に架設した１本の長い搬送ベルト４と、その搬送ベルト４に接触状態で回転可能に設けた複数個の挟持ボール６との間に紙幣を挟持して、搬送ベルト４の張設方向に紙幣を搬送するように構成した紙幣搬送装置１００Xが周知である（例えば、特許文献１参照。）。なお、図中１はフレーム、５は駆動輪２を駆動するための駆動モータ、７は紙幣ガイドである。
【０００３】
また、図１０に示したように合流搬送ユニット８と中継搬送ユニット９とを交互に配置し、各遊技台Ｄに併設された玉貸機Ａなどの紙幣投入口に投入されて背面側に送出された紙幣Ｂを受け取り、遊技台Ｄの並び方向の端部まで搬送して金庫などに収納するように構された紙幣搬送装置１００Yも周知である（例えば、特許文献２参照。）。
【特許文献１】特開平０６−１１５７５３号公報
【特許文献２】特開平０８−０９１６１５号公報
【発明の開示】
【発明が解決しようとする課題】
【０００４】
遊技ホールは大きさ、形状が千差万別であるので、横並びに設置する遊技台の数は遊技ホール毎に、又、一つの遊技ホールでも設置位置によりその台数が異なることがある。したがって、そのような遊技台列の背面に設置する紙幣搬送装置の長さは遊技島毎に異なるので、紙幣搬送の全行程を１本の搬送ベルトで行う特許文献１に提案された紙幣搬送装置においては、遊技ホールのレイアウトが決定し、全ての遊技島の遊技台列が確定するまで搬送ベルトを作製する事ができないという問題点があった。
【０００５】
なお、１本の長いベルトを適宜の長さに切断し、両端部を接合して無端ベルトを作製する方法を取れば、簡単に所望の長さの無端ベルトを作製することは可能であるが、このようにして作製した無端ベルトは接合部で破断し易いと云う欠点がある。そして、多くの客が遊技に熱中している遊技島では、搬送ベルトが破断しても簡単には交換できないので、遊技ホールの紙幣搬送装置で接合式の無端ベルトを搬送ベルトに採用することは難しい。
【０００６】
また、１本の長いベルトでは弛むので、テンショナーの設置が必要になるし、設置する作業者のレベルによって品質が作用されると云う問題点もある。なお、長さの異なる搬送ベルトを多数在庫しておけば対応は簡単になるが、長い搬送ベルトを多数在庫しておくことは資金を寝かせることになり経済的でない。
【０００７】
一方、合流搬送ユニットと中継搬送ユニットとを交互に配置して構成する特許文献２に提案された紙幣搬送装置においては、遊技台の背面に中継ユニットを配置し、その間に合流中継ユニットを介在させるだけで良いので、特許文献１に提案された紙幣搬送装置における前記問題点はないが、玉貸機などの設置間隔が確定しないと中継搬送ユニットの作製に着手できないし、各中継搬送ユニットには紙幣を挟持して搬送するための無端の搬送ベルトをそれぞれ２本並設する必要がある。そして、そのようにして作製した中継搬送ユニットを多数列設する必要があるので、製造コストが嵩むと云った問題点があった。
【０００８】
したがって、紙葉類の搬送距離が異なっても装置の製造に支障がなく、しかも製造コストが嵩むことのない搬送装置を提供する必要があり、それが解決すべき課題であった。
【課題を解決するための手段】
【０００９】
本発明は上記従来技術の課題を解決するため、無端の搬送ベルトを備え、搬送ベルトの張設方向に列設された複数の主搬送ユニットと、主搬送ユニットの列設方向の任意の部位に添設された複数の副搬送ユニットと、副搬送ユニットが添設されていない部位の主搬送ユニットの搬送ベルトの外周面に臨んで添設された複数のガイドユニットとを備えて構成される紙葉類搬送装置において、主搬送ユニットの無端の搬送ベルトは水平面内で回転可能に駆動プーリと従動プーリとに張設し、副搬送ユニットは紙葉類を挟持して取込み、主搬送ユニット側に送出する一対の搬送ローラと、主搬送ユニットの搬送ベルトに接して回転時の搬送ベルトから得た駆動力により一対の搬送ローラを回転させる駆動ローラとを備え、ガイドユニットは主搬送ユニットの搬送ベルト外周面に押圧されるピンチローラとカバー部材とを備えて搬送ベルト外周面との間に紙葉類の搬送路を形成するようにしたことを主要な特徴とするものである。
【発明の効果】
【００１０】
本発明の紙葉類搬送装置によれば、紙葉類の取込口を適宜の部位に設置することが可能であり、且つ、長さの異なる主搬送ユニットを複数準備しておくだけで紙葉類の搬送距離が異なっても簡単に対応することができる。また、特許文献２に記載の紙幣搬送装置より構造が簡単であるので、特許文献２の紙幣搬送装置より廉価に提供することができると云った特長もある。
【発明を実施するための最良の形態】
【００１１】
無端の搬送ベルトを備え、搬送ベルトの張設方向に列設された複数の主搬送ユニットと、主搬送ユニットの列設方向の任意の部位に添設された複数の副搬送ユニットと、副搬送ユニットが添設されていない部位の主搬送ユニットの搬送ベルトの外周面に臨んで添設された複数のガイドユニットとを備えて構成される紙葉類搬送装置において、主搬送ユニットの無端の搬送ベルトは水平面内で回転可能に駆動プーリと従動プーリとに張設し、副搬送ユニットは紙葉類を挟持して取込み、主搬送ユニット側に送出する一対の搬送ローラと、主搬送ユニットの搬送ベルトに接して回転時の搬送ベルトから得た駆動力により一対の搬送ローラを回転させる駆動ローラとを備え、ガイドユニットは主搬送ユニットの搬送ベルト外周面に押圧されるピンチローラとカバー部材とを備えて搬送ベルト外周面との間に紙葉類の搬送路を形成するものであり、副搬送ユニットの駆動ローラは主搬送ユニットの搬送ベルト張設方向に複数個が列設される。また、水平面内で回転可能に駆動プーリと従動プーリとに張設された無端の第１の搬送ベルトと、へ込み部に第１の搬送ベルトの一方のプーリに張設されている部分が密接状態に嵌め込まれている平面形状が略凹字状に張設された無端の第２の搬送ベルトとを備えたＵターン用ユニットを、主搬送ユニットが列設された一方の列設端部に第１の搬送ベルト側を主搬送ユニット側に向けて列設し、他方の列設端部に紙葉類を収納する収納庫を設置したものであり、副搬送ユニットの搬送ローラ、駆動ローラの少なくとも何れか一方は、所定の負荷を超える負荷が掛かったときに空転可能に設ける。さらに、主搬送ユニットの搬送ベルト外周面とガイドユニットとの間に形成した搬送路を通過する紙葉類を検出する複数個の通過検出手段と、通過検出手段が出力する信号に基づいて所要の主搬送ユニットの駆動プーリを駆動させる制御手段とを設けるようにした紙葉類搬送装置である。
【実施例１】
【００１２】
本発明の紙葉類搬送装置を、パチンコ島に設置して遊技客がパチンコ玉を借りる代金として玉貸機Ａに投入した紙幣Ｂを島端に設けた金庫Ｃまで搬送して収納する紙幣搬送装置１００として用いた一例を、図１〜図８に基づいて説明する。なお、理解を容易にするため、これらの図においても前記図９、図１０において説明した部分と同様の機能を有する部分には、同一の符号を付した。
【００１３】
図１は両島タイプのパチンコ島に本発明の紙幣搬送装置１００を適用する場合の一構成例を示しており、この実施例では背合わせ状態に横並びに２列に列設された玉貸機Ａ同士の間に複数の主搬送ユニット１０が玉貸機Ａの列設方向に列設され、その一方の列端にＵターン用ユニット３０が設置され、他方の列端には金庫Ｃが配置され、玉貸機Ａに臨む主搬送ユニット１０、Ｕターン用ユニット３０の各部位に副搬送ユニット５０が添設され、副搬送ユニット５０が添設されていない部位の主搬送ユニット１０、Ｕターン用ユニット３０にはガイドユニット７０が添設され、紙幣Ｂが何れの玉貸機Ａに投入されても、列端まで搬送されて金庫Ｃに保管することのできる紙幣搬送装置とされている。
【００１４】
なお、９５は玉貸機Ａを制御するための制御手段、９６は本発明の紙幣搬送装置１００の制御手段である。また、遊技台としてのパチンコ台を示すと紙幣搬送装置１００の構成が却って分かり難くなるので、図１ではパチンコ台は示していない。
【００１５】
主搬送ユニット１０は、図２に示したようにフレーム部材１１と、そのフレーム部材１１の長手方向の一方の端部側に設けられた駆動プーリ１２と、他方の端部側に設けられた従動プーリ１３と、プーリ１２、１３によりフレーム部材１１の長手方向に張設された平ベルト状の搬送ベルト１４と、フレーム部材１１に固定されて駆動プーリ１２を駆動する駆動モータ１５とを備えている。
【００１６】
プーリ１２、１３は同一径に作製され、それぞれ回転可能にフレーム部材１１に立設された回転軸１２Ａ、１３Ａにより支持され、搬送ベルト１４が水平面内で回転可能に張設されている。そして、駆動モータ１５の回転が適宜の動力伝達手段、例えばギヤにより回転軸１２Ａに伝達されて駆動プーリ１２が回転するように構成されている。なお、従動プーリ１３は、フレーム部材１１に固定した支軸に回転可能に装着されても良い。
【００１７】
フレーム部材１１の駆動プーリ１２と従動プーリ１３との間には、厚さがプーリ１２、１３の直径と同じか僅かに大きい寸法の間隔保持部材１６が設置され、搬送ベルト１４がその外周面側から押圧されても内側に撓まない構造になっている。
【００１８】
また、フレーム部材１１の長手方向の両端部には、櫛歯状の紙幣ガイド１７Ａ、１７Ｂが横向きに突設されている。駆動モータ１５側の紙幣ガイド１７Ａと、その反対側の紙幣ガイド１７Ｂは、共に搬送ベルト１４の上下の２箇所で、プーリ１２、１３の間に平行に張設された搬送ベルト１４の対応するそれぞれの外周面より僅かに、例えばそれぞれの外側の面が０．５ｍｍ程度内側に位置するように２列に設けられ、且つ、二つの主搬送ユニット１０が同じ向きで列設されたときに、紙幣ガイド１７Ａ、１７Ｂの対峙する部分が互いに遊嵌し、それぞれの部分で平板状のガイド面１７Ｃが形成されるようになっている。
【００１９】
なお、フレーム部材１１は、例えば図３に示したようにプーリ１２、１３が装着される中央部材１１Ａと、その中央部材１１Ａの上下に凹凸嵌合により一体に組付ける周辺部材１１Ｂとの３部材で構成するようにし、且つ、中央部材１１Ａは高分子樹脂の押し出し成型により作製し、周辺部材１１Ｂはアルミニウムの押し出し成型により作成し、両者を嵌合・一体化して作製するようにすれば軽量化と剛性の向上を同時に図ることができる。
【００２０】
また、周辺部材１１Ｂの中央部材１１Ａと嵌合する側とは反対側には係止片１８、規制片１９などを長手方向に延設しておけば、後述する副搬送ユニット５０およびガイドユニット７０の主搬送部材１０への着脱が容易に行える。
【００２１】
また、主搬送ユニット１０の上下両面には、それぞれ複数のフック２０が適宜の間隔で配置され、玉貸機Ａの背面側に列設する際に玉貸機Ａから延設する図示しない支持腕により簡単に支持して列設することができる構造となっている。
【００２２】
また、主搬送ユニット１０の長手方向両端側の上面にはビス穴が設けられ、図７に示したように連設した主搬送ユニット１０同士あるいはＵターン用ユニット３０との対向した端部側上面に載置したＵ字状の連結部材９１をビス止めすることで、主搬送ユニット１０同士あるいはＵターン用ユニット３０とが一体化できるように構成されている。
【００２３】
さらに、図８に示したように、主搬送ユニット１０の上下面両には取付部材９３をビス止めし、主搬送ユニット１０をその取付部材９３を介して、玉貸機Ａに併設されるパチンコ台などの遊技機の背面などに簡単に固定することができるようにもなっている。
【００２４】
なお、主搬送ユニット１０の長手方向に２列で延設された規制片１９同士の間に、摺動部材９４が規制片１９の延設方向に摺動可能に遊嵌され、その規制片１９の図示しないビス穴を利用して取付部材９３が主搬送ユニット１０の上下に固定されるので、取付部材９３は主搬送ユニット１０の長手方向の所望の部位に取付可能となっている。
【００２５】
Ｕターン用ユニット３０は、図４に示したように前記図２などに示した主搬送ユニット１０と略同様の構成を有する主搬送部材３０Ａと、主搬送部材３０Ａの駆動モータ３５が設けられていない側の端部に配置された反転搬送部材３０Ｂとからなり、主搬送部材３０Ａと反転搬送部材３０Ｂとはそれぞれのフレーム部材３１Ａ、３１Ｂの図示しない凹凸嵌合、ビスを用いた連結などにより分離可能に一体化されている。
【００２６】
主搬送部材３０Ａにおいては、従動プーリ３３Ａは駆動プーリ３２Ａより直径が大きく形成され、そのプーリ３２Ａ、３３Ａにより第１の無端の搬送ベルト３４Ａが張設されている。従動プーリ３３Ａが駆動プーリ３２Ａより太く作製されているのは、従動プーリ３３Ａの側で紙幣ＢをＵターンさせる際の搬送抵抗を小さくするためである。
【００２７】
反転搬送部材３０Ｂにおいては、フレーム部材３１Ｂに複数個の支軸３３ｂが立設され、各支軸に回転自在に装着された従動プーリ３３Ｂにより第２の無端の搬送ベルト３４Ｂが略凹字状に張設されている。
【００２８】
そして、第２の搬送ベルト３４Ｂの略凹字状のへ込み部３４ｂに第１の搬送ベルト３４Ａの従動プーリ３３Ａに張設されている部分が密接状態に嵌め込まれて、第１の搬送ベルト３４Ａの回転により第２の搬送ベルト３４Ｂが従動回転し、紙幣Ｂを第１の搬送ベルト３４Ａと第２の搬送ベルト３４Ｂとで挟持して搬送可能に設けられている。
【００２９】
なお、このＵターン用ユニット３０においても、主搬送ユニット１０の場合と同様に係止片３８、規制片３９、フック４０が設けられ、副搬送ユニット５０およびガイドユニット７０の主搬送部材１０への着脱を容易にすると共に、玉貸機Ａの背面側に設置する際の施工性が高められている。さらに、Ｕターン用ユニット３０をパチンコ台などの遊技機の背面などに簡単に固定するための取付部材９３も、ビス止め可能となっている。
【００３０】
副搬送ユニット５０は、図５に示したように紙幣取込口５２が開口したフレーム部材５１と、紙幣取込口５２から延設された紙幣搬入路５３を形成する紙幣ガイド５４と、紙幣取込口５２側の紙幣搬入路５３に臨んで設置された一対の搬送ローラ５５Ａ、５５Ｂと、主搬送ユニット１０の搬送ベルト１４またはＵターン用ユニット３０の第１の搬送ベルト３４Ａの外周面に接して、搬送ベルト１４などの回転から動力を受けて回転する、横並びに設置された一対の駆動ローラ５６Ａ、５６Ｂと、駆動ローラ５６Ａ、５６Ｂそれぞれに設けられたギヤに噛合して回転するギヤ５７と、搬送ローラ５５Ａに設けられたギヤと、搬送ローラ５５Ａ側の駆動ローラ５６Ａに設けられたギヤと噛合し、駆動ローラ５６Ａの回転により搬送ローラ５５Ａを回転させるギヤ５８とを備えている。
【００３１】
したがって、搬送ベルト１４などの外周面に接している駆動ローラ５６Ａが搬送ベルト１４などの回転により回転したときだけでなく、駆動ローラ５６Ｂが搬送ベルト１４などの回転により回転したときにも、その回転がギヤ５８を介して搬送ローラ５５Ａのギヤに伝達され、それにより搬送ローラ５５Ａが回転する。
【００３２】
そのため、副搬送ユニット５０が列設されている主搬送ユニット１０同士の接続部や、主搬送ユニット１０とＵターン用ユニット３０との接続部に設置されるときも、副搬送ユニット５０設置の上流側か下流側に位置する搬送ベルト１４または第１の搬送ベルト３４Ａの何れかが回転しておれば、駆動ローラ５６Ａ、５６Ｂの少なくとも何れか一方は回転し、その回転がギヤ５８を介して搬送ローラ５５Ａのギヤに伝達され、それによって搬送ローラ５５Ａが回転するので、紙幣取込口５２から紙幣搬入路５３に先端部が挿入された紙幣Ｂは一対の搬送ローラ５５Ａ、５５Ｂに挟まれて紙幣搬入路５３に引き込まれ、主搬送ユニット１０またはＵターン用ユニット３０の側に送出される。
【００３３】
なお、搬送ローラ５５Ｂの支軸５５ｂは、ばね５９により搬送ローラ５５Ａの側に付勢され、一対の搬送ローラ５５Ａ、５５Ｂは所定の押圧力、例えば玉貸機Ａに内蔵された図示しない一対の搬送ローラが紙幣Ｂを挟持する力より小さい押圧力で接している。
【００３４】
したがって、紙幣Ｂを挟持した玉貸機Ａの一対の搬送ローラが回転停止状態にあるときには、回転中の一対の搬送ローラ５５Ａ、５５Ｂがその紙幣Ｂを挟持して搬送しようとしてもスリップし、玉貸機Ａから副搬送ユニット５０への紙幣Ｂの受け渡しは行われない。
【００３５】
また、副搬送ユニット５０には円周部分がばね６０により搬送ベルト１４または第１の搬送ベルト３４Ａの外周面に押圧されるピンチローラ６１が、左右の両端部側に各１個設けられて、横方向から搬送されてきた紙幣Ｂを搬送ベルト１４などの外周面とピンチローラ６１との間に挟持して同一方向に搬送可能に設けられている。
【００３６】
上記構成の副搬送ユニット５０においては、フレーム部材５１の上下両端部側に複数の係止片６２とスリット６３とが設けられている。そして、これらと主搬送ユニット１０、Ｕターン用ユニット３０に設けた係止片１８、３８とを嵌合させることにより、主搬送ユニット１０またはＵターン用ユニット３０の側面に分離可能に添設される（図３参照）。
【００３７】
ガイドユニット７０においては、図６に示したように左右方向に離間した２個のピンチローラ７２がフレーム部材７１に取り付けられている。そして、この二つのピンチローラ７２は、それぞればね７３によって主搬送ユニット１０の搬送ベルト１４またはＵターン用ユニット３０の第１の搬送ベルト３４Ａの外周面に押圧される。
【００３８】
また、ガイドユニット７０の搬送ベルト１４などより上方で搬送ベルト１４などに臨む側には紙幣Ｂの通過を検出するための紙幣検出手段７４が設けられている。この場合の紙幣検出手段７４は、搬送ベルト１４などの対峙する外周面を超えて突設可能に設置された腕部材７４Ａが搬送ベルト１４などの回転移動に伴って搬送されてくる紙幣Ｂが突き当たることで後退し、腕部材７４Ａのその後退を光学的、電気的、磁気的手法などを用いて検知し、紙幣Ｂの到達・通過を検出するようになっている。
【００３９】
また、フレーム部材７１は、２個のピンチローラ７２が取り付けられている本体部７１Ａと、ピンチローラ７２が取り付けられていない連設部７１Ｂとで構成され、ヒンジ７５により水平面内で回動可能に連結されている。そして、連設部７１Ｂにはスライドカバー７６が取り付けられ、スライドカバー７６を左右方向にスライドすることにより、搬送ベルト１４などを覆う長さが自在に調節できるようになっている。
【００４０】
なお、７７は連設部７１Ｂの外面の左右方向に列設された係合溝、７８はその係合溝に係止可能にスライドカバー７６に設けられた棒ばねであり、係合溝７７と棒ばね７８とが係合することでスライドカバー７６の位置決めがなされるようになっている。
【００４１】
上記構成のガイドユニット７０にも、本体部７１Ａの上下両端部側に複数の係止片７９とスリット８０とが設けられ、主搬送ユニット１０、Ｕターン用ユニット３０の上下に設けた係止片１８、３８と嵌合させることにより、主搬送ユニット１０またはＵターン用ユニット３０の側面に分離可能に添設できるように構成されている（図３参照）。
【００４２】
列設された複数の玉貸機Ａを制御する制御手段９５と、本発明の紙幣搬送手段１００の制御手段９６は共に記憶手段・計時手段・演算手段などを備えて構成され、送受信可能に接続されている。制御手段９５は各玉貸機Ａから出力された信号を受信して玉貸機Ａ毎の売上金額の集計が可能に、また、玉貸機Ａに投入された紙幣Ｂを玉貸機Ａに内蔵された図示しない一対の搬送ローラにより挟持して玉貸機Ａの部分に一旦保持するための制御信号などを、該当する玉貸機Ａに送信可能に全ての玉貸機Ａと接続されている。
【００４３】
一方、制御手段９６は、紙幣Ｂが到達したときに各主搬送ユニット１０とＵターン用ユニット３０に添設された各ガイドユニット７０の紙幣検出手段７４が出力する所要の検出信号の受信が可能に設けられ、さらに各主搬送ユニット１０とＵターン用ユニット３０の駆動モータ１５、３５の起動／停止が個別に行えるように設けられている。
【００４４】
すなわち、制御手段９６は受信した検出信号から紙幣Ｂがある位置を割り出し、紙幣Ｂが位置する部位の主搬送ユニット１０またはＵターン用ユニット３０と、紙幣搬送方向におけるその直ぐ下流側の主搬送ユニット１０またはＵターン用ユニット３０の駆動モータ１５または３５を駆動するための所要の制御信号を出力するように設けられている。
【００４５】
また、制御手段９６から制御手段９５に所要の制御信号が出力され、紙幣Ｂが位置する部位の直ぐ下流側に位置する玉貸機Ａに対し、内蔵する一対の搬送ローラを紙幣Ｂが該当する玉貸機Ａに臨む部位を通過するまで回転停止状態にするための所要の制御信号を、制御手段９５から送信できるように設けられている。
【００４６】
なお、紙幣Ｂの通過はその搬送速度から割り出しても良いし、下流側に設けた紙幣検出手段７４が紙幣Ｂの到達を検出したことで判断するようにしても良い。また、紙幣Ｂが通過するまで該当する玉貸機Ａに内蔵された一対の搬送ローラは回転停止状態に保持されるが、この回転停止状態には、玉貸機Ａに投入された紙幣Ｂの真偽を判定するために紙幣Ｂを玉貸機Ａの図示しない真偽判定手段の位置まで引き込む際の回転は含まれない。
【００４７】
したがって、本発明の紙幣搬送装置１００においては、何れの玉貸機Ａに投入された紙幣Ｂも、主搬送ユニット１０により搬送されている紙幣Ｂとは重なり合うことなく主搬送ユニット１０を介して島端まで搬送することができるので、適宜の紙幣識別手段を設けておけば、島端に設置された金庫Ｃに金種毎に分別して収納することができる。
【００４８】
しかも、紙幣Ｂが位置している部位の主搬送ユニット１０またはＵターン用ユニット３０と、その直ぐ下流側の主搬送ユニット１０またはＵターン用ユニット３０の駆動モータ１５、３５だけが起動されるので運転コストを節約することができる。
【００４９】
また、本発明の紙幣搬送装置１００においては、その構造から明らかなように主搬送ユニット１０、Ｕターン用ユニット３０に対する副搬送ユニット５０の添設位置には制限がないので、玉貸機Ａの設置間隔が変更になっても容易に対応することができる。
【００５０】
すなわち、本発明の紙幣搬送装置１００においては、玉貸機Ａが列設されている範囲で主搬送ユニット１０を列設（両島の場合は列端にＵターン用ユニット３０を配置）し、玉貸機Ａの背面に臨むように副搬送ユニット５０を主搬送ユニット１０に添設し、副搬送ユニット５０が添設されていない主搬送ユニット１０の部位にガイドユニット７０を添設するだけで紙幣搬送装置が完成する。
【００５１】
なお、玉貸機Ａが列設されている全長に、主搬送ユニット１０の列設長さが略一致し得るように、所定の長さに作製される主搬送ユニット１０と構造は同じで長さだけが玉貸機Ａの最大設置間隔の範囲内で異なる３、４種類の調整用ユニットを作製し在庫しておく。
【００５２】
そうすれば、所定の長さの複数の主搬送ユニット１０の列設と、在庫している適宜の長さの調整用ユニット一つを列端などに加えるだけで両方の長さを略一致させることが可能であるので、在庫する場合も特許文献１記載の発明に比べて遥かに経済的である。
【００５３】
なお、本発明は上記実施形態に限定されるものではないので、特許請求の範囲に記載の趣旨から逸脱しない範囲で各種の変形実施が可能である。
【００５４】
例えば、玉貸機Ａを横並びに一列に設置し、その背面側に本発明の紙葉類搬送装置を設置して、玉貸機Ａに投入された紙幣Ｂを島端に設けた金庫Ｃまで一方向に搬送する紙幣搬送装置とするときには、Ｕターン用ユニット３０を用いない構成が採用される。
【００５５】
また、玉貸機Ａに内蔵された一対の搬送ローラが紙幣Ｂの一端側を挟持して回転停止状態にあるときに、紙幣Ｂの他端側を挟持した副搬送ユニット５０の一対の搬送ローラ５５Ａ、５５Ｂの部位でスリップするのではなく、主搬送ユニット１０の搬送ベルト１４あるいはＵターン用ユニット３０の第１の搬送ベルト３４Ａと駆動ローラ５６Ａ、５６Ｂとの接触部でスリップするように構成しても、一対の搬送ローラ５５Ａ、５５Ｂの部位でスリップする上記構成の紙葉類搬送装置１００と同等の作用効果を奏することができる。
【図面の簡単な説明】
【００５６】
【図１】本発明の紙幣搬送装置の説明図である。
【図２】主搬送ユニットの説明図であり、（Ａ）は上方から見た説明図、（Ｂ）は前方から見た説明図である。
【図３】主搬送ユニットのフレーム部材の説明図であり、（Ａ）は側方から見た説明図、（Ｂ）は副搬送ユニットとガイドユニットとが添設された状態を側方から見た説明図である。
【図４】Ｕターン用ユニットの説明図であり、（Ａ）は上方から見た説明図、（Ｂ）は前方から見た説明図である。
【図５】副搬送ユニットの説明図であり、（Ａ）は上方から見た説明図、（Ｂ）は前方から見た説明図である。
【図６】ガイドユニットの説明図であり、（Ａ）は連設部が搬送ベルトに添わされた状態の説明図、（Ｂ）は連設部が前方に回動した状態の説明図、（Ｃ）は前方から見た説明図である。
【図７】連設された主搬送ユニット同士の連結部の説明図である。
【図８】遊技台に取り付けるための取付部材の説明図である。
【図９】第１の従来技術の説明図である。
【図１０】第２の従来技術の説明図である。
【符号の説明】
【００５７】
１  フレーム部材
２  駆動輪
３  遊動輪
４  搬送ベルト
５  駆動モータ
６  挟持ボール
７  紙幣ガイド
８  合流搬送ユニット
９  中継搬送ユニット
１０  主搬送ユニット
１１  フレーム部材
１１Ａ  中央部材
１１Ｂ  周辺部材
１２  駆動プーリ
１２Ａ  回転軸
１３  従動プーリ
１３Ａ  回転軸
１４  搬送ベルト
１５  駆動モータ
１６  間隔保持部材
１７Ａ、１７Ｂ  紙幣ガイド
１７Ｃ  ガイド面
１８  係止片
１９  規制片
２０  フック
３０  Ｕターン用ユニット
３０Ａ  主搬送部材
３０Ｂ  反転搬送部材
３１Ａ、３１Ｂ  フレーム部材
３２Ａ  駆動プーリ
３３Ａ、３３Ｂ  従動プーリ
３３ｂ  支軸
３４Ａ  第１の搬送ベルト
３４Ｂ  第２の搬送ベルト
３４ｂ  へ込み部
３５  駆動モータ
３６  間隔保持部材
３７Ａ、３７Ｂ  紙幣ガイド
３８  係止片
３９  規制片
４０  フック
５０  副搬送ユニット
５１  フレーム部材
５２  紙幣取込口
５３  紙幣搬入路
５４  紙幣ガイド
５５Ａ、５５Ｂ  搬送ローラ
５５ｂ  支軸
５６Ａ、５６Ｂ  駆動ローラ
５７、５８  ギヤ
５９、６０  ばね
６１  ピンチローラ
６２  係止片
６３  スリット
７０  ガイドユニット
７１  フレーム部材
７１Ａ  本体部
７１Ｂ  連設部
７２  ピンチローラ
７３  ばね
７４  紙幣検出手段
７４Ａ  腕部材
７５  ヒンジ
７６  スライドカバー
７７  係合溝
７８  棒ばね
７９  係止片
８０  スリット
９１  連結部材
９２  ビス
９３  取付部材
９４  摺動部材
９５、９６  制御手段
１００、１００Ｘ、１００Ｙ  紙幣搬送装置
Ａ  玉貸機
Ｂ  紙幣
Ｃ  金庫
Ｄ  遊技台
【図１】
2005343682.tif 000003
【図２】
2005343682.tif 000004
【図３】
2005343682.tif 000005
【図４】
2005343682.tif 000006
【図５】
2005343682.tif 000007
【図６】
2005343682.tif 000008
【図７】
2005343682.tif 000009
【図８】
2005343682.tif 000010
【図９】
2005343682.tif 000011
【図１０】
2005343682.tif 000012